(57)【要約】【課題】造形面上の造形物を経時的に成形孔を通して供給面側に戻すことができる造形ヘッドを提供すること。【解決手段】内容物が吐出される上端開口部２１Ａの上方に配設されると共に、上下方向に貫通する成形孔４１Ｃが形成された頂壁部４１を有し、造形面４１Ａに成形孔４１Ｃを通過した内容物を吐出させる外装体３１と、外装体３１内に配設され、外装体３１に対して上下方向に移動自在である中皿３２と、中皿３２に固定されて上面が供給面４１Ｂに近接または当接しており、中皿３２を外装体３１に対して下方移動させることによって、供給面４１Ｂとの間に上端開口部２１Ａからの内容物を供給面４１Ｂに沿って拡散させて成形孔４１Ｃに供給する拡散室を画成する含浸体と、を備え、拡散室の内容物が成形孔４１Ｃを通過することによって造形面４１Ａに造形物を形成する。【選択図】図１
2019151347.tif 000002
【特許請求の範囲】
【請求項１】
内容物が吐出される吐出孔の上方に配設されると共に、上下方向に貫通する成形孔が形成された頂壁部を有し、前記頂壁部のうち上方を向く造形面に前記成形孔を通過した内容物を吐出させる外装体と、
前記外装体内に配設され、前記外装体に対して上下方向に移動自在である中皿と、
前記中皿に固定されて上面が前記頂壁部のうち下方を向く供給面に近接または当接しており、前記中皿を前記外装体に対して下方移動させることによって、前記供給面との間に前記吐出孔からの内容物を前記供給面に沿って拡散させて前記成形孔に供給する拡散室を画成する含浸体と、
を備え、
前記拡散室の内容物が前記成形孔を通過することによって前記造形面に造形物を形成することを特徴とする造形ヘッド。
【請求項２】
前記中皿には、前記供給面に当接して前記含浸体の変形を規制する変形規制片が設けられていることを特徴とする請求項１に記載の造形ヘッド。
【請求項３】
前記含浸体には、上下方向に貫通し、前記吐出孔と連通する連通孔が形成されており、
前記中皿には、前記連通孔に挿入された案内筒部が設けられていることを特徴とする請求項１または２に記載の造形ヘッド。
【請求項４】
前記頂壁部の前記造形面には、上面視で前記成形孔を囲む突出壁部が延設されていることを特徴とする請求項１から３のいずれか１項に記載の造形ヘッド。
【発明の詳細な説明】
【技術分野】
【０００１】
本発明は、造形ヘッドに関する。
【背景技術】
【０００２】
従来から、例えば下記特許文献１に示されているような、内容物が吐出される吐出孔の上方に配設されると共に、上下方向に貫通する造形孔が形成された頂壁部を有し、頂壁部のうち上方を向く造形面に成形孔を通過した内容物を吐出させる外装体と、外装体内に配設され、頂壁部のうち下方を向く供給面との間に吐出孔からの内容物を造形面に沿って拡散させて成形孔に供給する拡散室を画成する中皿と、を備える造形ヘッドが知られている。このような造形ヘッドでは、拡散室の内容物が成形孔を通過することによって造形面に造形物を形成している。なお、造形物は、少なくとも一定時間にわたって形状を保持可能なものとされている。
【先行技術文献】
【特許文献】
【０００３】
【特許文献１】特許第６２７４９８９号公報
【発明の概要】
【発明が解決しようとする課題】
【０００４】
しかしながら、このような造形ヘッドでは、造形物を経時的に成形孔を通して供給面側に戻すことができなかった。例えば、造形物が泡状の場合、造形物が時間の経過と共に液状に戻されて崩れていった場合に、液状となった内容物を供給面側に戻すことができなかった。
【０００５】
本発明は、前述の課題に鑑みてなされたもので、造形面上の造形物を経時的に成形孔を通して供給面側に戻すことができる造形ヘッドを提供することを目的とする。
【課題を解決するための手段】
【０００６】
本発明は、上記課題を解決するために以下のような手段を採用した。すなわち、本発明の造形ヘッドは、内容物が吐出される吐出孔の上方に配設されると共に、上下方向に貫通する成形孔が形成された頂壁部を有し、前記頂壁部のうち上方を向く造形面に前記成形孔を通過した内容物を吐出させる外装体と、前記外装体内に配設され、前記外装体に対して上下方向に移動自在である中皿と、前記中皿に固定されて上面が前記頂壁部のうち下方を向く供給面に近接または当接しており、前記中皿を前記外装体に対して下方移動させることによって、前記供給面との間に前記吐出孔からの内容物を前記供給面に沿って拡散させて前記成形孔に供給する拡散室を画成する含浸体と、を備え、前記拡散室の内容物が前記成形孔を通過することによって前記造形面に造形物を形成することを特徴とする。
【０００７】
この発明では、中皿に含浸体が固定されており、この含浸体が供給面に当接または近接しているので、造形面上に形成された造形物を時間の経過と共に成形孔を通して含浸体に吸収させることができる。ここで、内容物が揮散剤である場合、含浸体に吸収されている内容物からも成形孔を通して揮散成分を外部に揮散させることができ、必要に応じて、造形面上に形成された造形物から内容物の揮散成分を外部に揮散させることもできる。
【０００８】
また、本発明では、前記中皿には、前記供給面に当接して前記含浸体の変形を規制する変形規制片が設けられてもよい。
この発明では、変形規制片が供給面に当接するので、中皿を外装体に対して上方へ移動させたときに、中皿に固定されている含浸体が供給面に押し付けられて過度に変形されることが抑制される。特に、中皿が外装体に対して常時上方付勢されている場合には、含浸体が供給面に押し付けられることを効果的に抑制できる。これにより、例えば含浸体がスポンジ体などのような圧縮変形可能な材料で形成されている場合に、含浸体内の気泡が潰れることによって含浸体が内容物を吸収しにくくなることを抑制できる。また、中皿を外装体に対して下降させたときに、含浸体が復元変形することによって吐出孔から吐出された内容物が含浸体に吸い込まれて拡散室で拡散しにくくなることを抑制し、造形物の形成精度が低下することを抑制できる。
【０００９】
また、本発明では、前記含浸体には、上下方向に貫通し、前記吐出孔と連通する連通孔が形成されており、前記中皿には、前記連通孔に挿入された案内筒部が設けられてもよい。
この発明では、吐出孔から吐出された内容物が含浸体に形成された貫通孔に挿入されている案内筒部を通して拡散室に流入するので、内容物が含浸体を経ずに成形孔を通して造形物を形成できる。
【００１０】
また、本発明では、前記頂壁部の前記造形面には、上面視で前記成形孔を囲む突出壁部が延設されてもよい。
この発明では、造形物が時間の経過と共に液状に戻された場合に、液状となった内容物が外装体の外側へ流れ落ちることを防止できる。
【発明の効果】
【００１１】
この発明にかかる造形ヘッドによれば、中皿に含浸体が固定されているので、形成された造形物を経時的に含浸体に吸収させることができる。
【図面の簡単な説明】
【００１２】
【図１】本発明の第１実施形態にかかる造形ヘッド及び造形ヘッドを備える吐出容器を示す軸方向断面図である。
【図２】図１の吐出容器を示す上面図である。
【図３】図１の外装体を示す側面図である。
【図４】図１の中皿を示す軸方向断面図である。
【図５】図４の中皿を示す上面図である。
【図６】図１の造形ヘッドの使用方法を説明する軸方向断面図である。
【図７】同じく、図１の造形ヘッドの使用方法を説明する軸方向断面図である。
【図８】本発明の第２実施形態にかかる造形ヘッドを示す軸方向断面図である。
【図９】図８の吐出容器を示す上面図である。
【図１０】図８の第１及び第２変換筒部を示す側面図である。
【図１１】図８の造形ヘッドの使用方法を説明する軸方向断面図である。
【図１２】同じく、図８の造形ヘッドの使用方法を説明する軸方向断面図である。
【発明を実施するための形態】
【００１３】
以下、本発明による造形ヘッドの第１実施形態を、図面に基づいて説明する。
本実施形態にかかる造形ヘッド１は、図１及び図２に示すように、吐出容器２の一部を構成している。吐出容器２は、造形ヘッド１と、内容物が収容される有底円筒状の容器本体３を備える容器体４と、容器本体３に設けられた吐出器５と、を備える。容器本体３内には、例えば泡体や高粘性材料など、吐出後に少なくとも一定時間にわたって形状を保持可能な内容物が収容されている。また、内容物は、例えば芳香剤、消臭剤、殺虫剤、忌避剤、除菌剤などの揮散性を有する液状の揮散剤となっている。
以下、容器本体３の中心軸線を容器軸Ｏと称し、図１においてこの容器軸Ｏに沿う容器本体３の底部側を下方、容器本体３の口部３Ａ側を上方と称する。また、容器軸Ｏから見た平面視で中心軸Ｏに交差する方向を径方向、容器軸Ｏ回りで周回する方向を周方向と称する。
【００１４】
まず、容器体４及び吐出器５について説明する。
容器体４は、上述した容器本体３と、容器本体３の口部３Ａに固定された円筒状の固定部材６と、を備える。固定部材６は、容器軸Ｏと同軸に配設されている。
容器本体３の内部は、口部３Ａが平面視で円環状の頂板７で覆われることによって密閉されている。この頂板７のうち口部３Ａよりも径方向の内側にある部分には、周方向に延在する環状凹部７Ａが設けられている。
【００１５】
固定部材６は、図１及び図２に示すように、吐出器５の後述するステム２１を径方向の外側から囲繞しており、容器本体３の口部３Ａに対して周方向に回転不能にかつ上下動不能に固定されている。
固定部材６は、頂板７を介して容器本体３の口部３Ａに外嵌された円筒状の外嵌筒部１１と、外嵌筒部１１を径方向の外側から囲繞する円筒状の囲繞筒部１２と、外嵌筒部１１の下端と囲繞筒部１２とを接続する平面視で円環状の第１接続部１３と、頂板７の環状凹部７Ａ内に嵌合された円筒状の内嵌筒部１４と、内嵌筒部１４の下端から径方向の内側に向けて延設された平面視で円環状の受板部１５と、外嵌筒部１１の上端と内嵌筒部１４の上端とを接続する平面視で円環状の第２接続部１６と、第２接続部１６から上方に延在する円筒状の突出筒部１７と、を有する。これら外嵌筒部１１、囲繞筒部１２、内嵌筒部１４、受板部１５、第２接続部１６及び突出筒部１７は、容器軸Ｏと同軸に配設されている。
【００１６】
囲繞筒部１２の内周面には、周方向に延在する上側係止部１２Ａが周方向に間隔をあけて複数（本実施形態では４つ）形成されている。上側係止部１２Ａは、囲繞筒部１２の内周面から径方向の内側に向けて突出している。また、囲繞筒部１２の下端部は、第１接続部１３よりも下方に突出している。
第１接続部１３の外周縁部には、周方向に延在する分離スリット１３Ａが周方向に間隔をあけて複数（本実施形態では４つ）形成されている。これら分離スリット１３Ａは、周方向で上側係止部１２Ａと重なる位置に形成されている。
内嵌筒部１４は、環状凹部７Ａ内に配設されており、外嵌筒部１１との間で口部３Ａ及び頂板７を径方向で挟み込んでいる。
受板部１５の上面は、付勢バネ２０の下端を支持している。
【００１７】
吐出器５は、容器本体３の口部３Ａに上方付勢状態で下方移動可能に立設された円筒状のステム２１を備える。ステム２１は、容器軸Ｏと同軸に配設されており、環状凹部７Ａよりも小径となっている。ステム２１は、頂板７を上下方向に貫通している。吐出器５の内部のうち容器本体３内に位置する部分には、図示しない吐出弁及びステム２１を上方付勢する付勢手段が設けられている。
【００１８】
ステム２１が容器本体３に対して押し下げられると、上記吐出弁が開き、容器本体３内の内容物がステム２１内を通ってステム２１の上端開口部（吐出孔）２１Ａから吐出される。このとき、ステム２１の上端開口部２１Ａからは、泡状とされた内容物が吐出される。なお、ステム２１の上端開口部２１Ａから吐出される内容物は、泡状でなくてもよい。ステム２１の押し下げを解除すると、上記付勢手段の上方付勢力によってステム２１が上昇して上記吐出弁を閉じ、内容物の吐出が停止される。
ここで、本実施形態では、容器体４として、内部に泡状で吐出されて時間の経過と共に液状となる内容物が収容されたエアゾール缶を採用している。
【００１９】
造形ヘッド１は、図１から図５に示すように、有頂円筒状の外装体３１と、外装体３１内に配設された有頂円筒状の中皿３２と、中皿３２に固定された円板状の含浸体３３と、を備える。
外装体３１は、平面視で円状の頂壁部４１と、頂壁部４１の外周縁から下方に向けて延設された円筒状の周壁部４２と、を有する。これら頂壁部４１及び周壁部４２は、容器軸Ｏと同軸に配設されている。
【００２０】
頂壁部４１は、ステム２１の上端開口部２１Ａの上方に配設されており、頂壁部４１の上面は、造形面４１Ａを形成すると共に、頂壁部４１の下面は、供給面４１Ｂを形成している。また、頂壁部４１には、上下方向に貫通する複数の成形孔４１Ｃが形成されている。
成形孔４１Ｃは、造形面４１Ａ及び供給面４１Ｂに各別に開口している。成形孔４１Ｃは、平面視においてＵ字状をなしており、このＵ字部分の開口部分が径方向の内側を向くように、周方向に間隔をあけて複数（本実施形態では５つ）形成されている。
なお、造形物としては、例えば薔薇、向日葵、桜などの花、文字及びロゴタイプなどの形状とすることができる。成形孔４１Ｃの数や形状、配置を適宜変更することにより、造形する造形物の形状を適宜変更することができる。吐出する内容物の用途などに応じて成形孔４１Ｃの数や形状、配置を適宜変更してもよく、成形孔４１Ｃを１つのみ形成してもよい。また、成形孔４１Ｃは、頂壁部４１の造形面４１Ａ及び供給面４１Ｂに各別に開口していればよく、容器軸Ｏに対して傾いた方向で延在してもよい。
【００２１】
また、頂壁部４１の中央部には、棒状の芯体４１Ｄが下方に向けて突設されており、芯体４１Ｄは、容器軸Ｏと同軸に配設されている。さらに、頂壁部４１の造形面４１Ａの外周縁には、上方に向けて延在する円筒状の突出壁部４１Ｅが全周にわたって延設されている。突出壁部４１Ｅは、内径及び外径が周壁部４２の内径及び外径と同等となっており、上面視で複数の成形孔４１Ｃをまとめて径方向の外側から囲んでいる。
【００２２】
周壁部４２の下端部は、囲繞筒部１２と外嵌筒部１１との間に差し込まれており、周壁部４２の下端部には、周壁部４２の下端から上下方向に延在する切欠部４２Ａが周方向に間隔をあけて４つ形成されている。これら切欠部４２Ａによって、周壁部４２の下端部は、周方向で一対の短片部４３と一対の長片部４４とに分離されている。一対の短片部４３は、容器軸Ｏを径方向で挟んで対向するように配設されており、一対の長片部４４も、同様に、容器軸Ｏを径方向で挟んで対向するように配設されている。短片部４３の周方向の長さは、長片部４４の周方向の長さよりも短くされている。長片部４４の下端部の外周面には、径方向の外側に向けて突出し、上側係止部１２Ａに対して下方から係止する下側係止部４４Ａが形成されている。
周壁部４２のうち頂壁部４１よりも下側の部分には、径方向に貫通する矩形状の揮散窓部４２Ｂが周方向に間隔をあけて複数形成されている。これら揮散窓部４２Ｂは、切欠部４２Ａの上端よりも上方に形成されている。なお、揮散窓部４２Ｂが形成されていなくてもよい。
【００２３】
中皿３２は、有頂円筒状の中皿本体５１と、中皿本体５１に連設され、外装体３１から径方向の外側に向けて突出する平面視で円環状の操作体５２と、を有する。
中皿本体５１は、平面視で円状の天板部６１と、天板部６１の外周縁から下方に向けて延設された円筒状の側筒部６２と、を有する。これら天板部６１及び側筒部６２は、容器軸Ｏと同軸に配設されている。
【００２４】
天板部６１の外周縁部の上面には、上方に突出する変形規制片６３が周方向に間隔をあけて複数（本実施形態では４つ）形成されている。変形規制片６３は、周方向に沿って延在しており、変形規制片６３の上端は、頂壁部４１の供給面４１Ｂに当接している。
また、天板部６１の中央部には、上下方向に貫通する流通孔６１Ａが形成されており、天板部６１の中央部の上面には、流通孔６１Ａを径方向の外側から囲む円筒状の案内筒部６４が上方へ突出している。流通孔６１Ａ及び案内筒部６４は、容器軸Ｏと同軸に配設されており、案内筒部６４の内側は、流通孔６１Ａに連通している。また、案内筒部６４の上端は、変形規制片６３の上端と同等となっており、案内筒部６４の上端は、頂壁部４１の供給面４１Ｂに当接している。案内筒部６４の内側には、芯体４１Ｄが挿入されている。なお、天板部６１の上面の上下方向の位置は、揮散窓部４２Ｂの下端縁の上下方向の位置と同等となっている。そのため、案内筒部６４は、変形規制片としても機能する。
【００２５】
天板部６１の中央部の下面には、円筒状の係止筒部６５と、係止筒部６５を径方向の外側から囲む円筒状の受筒部６６と、が下方に向けて延設されている。これら係止筒部６５及び受筒部６６は、容器軸Ｏと同軸に配設されている。
係止筒部６５の内側は、流通孔６１Ａに連通している。係止筒部６５の内径は、ステム２１の外径と同等となっており、係止筒部６５の内周面には、上下方向に延在する係止リブ部６５Ａが周方向に間隔をあけて複数（本実施形態では４つ）形成されている。係止リブ部６５Ａの下端は、ステム２１の上端に上方から当接可能となっている。
受筒部６６の外周面には、付勢バネ２０の上端部が配設されており、付勢バネ２０の上端部が径方向で位置ズレすることを規制している。付勢バネ２０の上端は、天板部６１の下面によって支持されている。
【００２６】
側筒部６２の外径は、周壁部４２の内径と同等となっており、側筒部６２は、周壁部４２の内周面に沿って上下動可能となっている。また、側筒部６２の内径は、突出筒部１７の外径と同等となっており、側筒部６２の下端部内には、突出筒部１７の上端部が挿入されている。
【００２７】
操作体５２は、中皿本体５１の側筒部６２の下端部から径方向の外側に向けて突出し、平面視で円環状の操作板部６７と、操作板部６７の外周縁から下方に延設された円筒状の操作筒部６８と、を有する。これら操作板部６７及び操作筒部６８は、容器軸Ｏと同軸に配設されている。
操作板部６７の内周縁部には、周方向に間隔をあけて２対の挿入スリット６７Ａが形成されている。第１の対の挿入スリット６７Ａは、容器軸Ｏを径方向で挟む両側に形成され、周方向の長さが短片部４３の周方向の長さと同等とされている。これにより、第１の対の挿入スリット６７Ａには、短片部４３が挿通されている。同様に、第２の対の挿入スリット６７Ａは、容器軸Ｏを径方向で挟む両側に形成され、周方向の長さが長片部４４の周方向の長さと同等となっている。これにより、第２の対の挿入スリット６７Ａには、長片部４４が挿通されている。このようにして、中皿３２が外装体３１に対して周方向に回転することが規制されると共に、外装体３１に対する中皿３２の上下方向の移動が案内される。
【００２８】
含浸体３３は、多孔質材、例えば濾紙やスポンジ体などによって形成されている。含浸体３３の上面は、外装体３１の頂壁部４１の供給面４１Ｂに当接または近接しており、含浸体３３の外周面は、外装体３１の周壁部４２の内周面に当接または近接している。ここで、含浸体３３の上面が供給面４１Ｂに近接しているとは、造形面４１Ａ上に形成された造形物を成形孔４１Ｃを通して経時的に吸い込むことができる程度に離間していることを意味している。また、含浸体３３の中央部には、上下方向に貫通する連通孔３３Ａが形成されており、連通孔３３Ａには、案内筒部６４が挿入されている。
付勢バネ２０は、下端が固定部材６に支持されており、上端が中皿３２に支持されている。そのため、付勢バネ２０は、中皿３２を外装体３１に対して上方付勢している。
【００２９】
次に、以上のような構成の造形ヘッド１の使用方法を説明する。
まず、図６に示すように、操作板部６７を付勢バネ２０の付勢力に抗して押し下げて中皿３２を外装体３１に対して下降させると、中皿３２の係止リブ部６５Ａがステム２１の上端に上方から当接する。また、含浸体３３の上面と外装体３１の頂壁部４１の供給面４１Ｂとの間には、拡散室Ｓが画成される。ここで、中皿３２を外装体３１に対してさらに下降させると、ステム２１が上方付勢力に抗して下降することによって、容器本体３内の内容物は、ステム２１の上端開口部２１Ａ、流通孔６１Ａ及び案内筒部６４の内側を通して拡散室Ｓに流入する。ここで、ステム２１の上端開口部２１Ａから吐出された内容物が案内筒部６４内を通して拡散室Ｓに流入するので、拡散室Ｓに到達する前に含浸体３３に吸い込まれることが抑制される。
【００３０】
拡散室Ｓに流入した内容物は、芯体４１Ｄの外周面上を上下方向に流動して芯体４１Ｄに保持される。このとき、内容物は、例えば平面視において芯体４１Ｄを中心とした円状をなすように芯体４１Ｄに保持される。内容物のステム２１からの吐出量の増加に伴って芯体４１Ｄへの内容物の供給量が増加すると、内容物が芯体４１Ｄ上で成長し、径方向の外側に向けて漸次膨張する。これにより、拡散室Ｓが扁平形状に形成されていることと相まって、拡散室Ｓ内に供給された内容物は、径方向に拡散されて複数の成形孔４１Ｃに供給される。
成形孔４１Ｃに流入した内容物は、頂壁部４１の造形面４１Ａに向けて流動する。そして、複数の成形孔４１Ｃを通過した内容物は、造形面４１Ａに吐出されて複数の造形片を形成し、複数の造形片を組み合わせて造形物が形成される。
【００３１】
その後、図７に示すように、操作板部６７の押し下げ操作を解除すると、ステム２１が上方に向けて復元変形しつつ、中皿３２が付勢バネ２０によって外装体３１に対して上方に向けて復元変位する。これにより、含浸体３３の上面は、外装体３１の頂壁部４１の供給面４１Ｂに当接または近接する。ここで、中皿本体５１の天板部６１に変形規制片６３及び案内筒部６４が形成されており、これら変形規制片６３及び案内筒部６４の上端が外装体３１の頂壁部４１の供給面４１Ｂに当接するので、含浸体３３が外装体３１の頂壁部４１の供給面４１Ｂに押し付けられることが防止される。
【００３２】
造形面４１Ａ上に形成された造形物は、時間の経過と共に成形孔４１Ｃを通して含浸体３３に吸収される。また、泡状の造形物が時間の経過と共に液状に戻って崩れていく場合にも、成形孔４１Ｃを通して含浸体３３に吸収される。ここで、含浸体３３の上面が外装体３１の頂壁部４１の供給面４１Ｂに近接または当接しているので、成形孔４１Ｃを通って戻る内容物は、効率よく含浸体３３に吸収される。含浸体３３に吸収された内容物は、成形孔４１Ｃや揮散窓部４２Ｂを通して吐出容器２の外部に揮散される。なお、造形面４１Ａ上に形成された造形物からも揮散させてもよい。
また、造形面４１Ａ上の造形物が時間の経過と共に含浸体３３に吸収されるので、造形面４１Ａ上に液状に戻っても内容物が長期にわたって残存することが抑制される。これにより、造形面４１Ａや成形孔４１Ｃに汚れなどの不純物が付着することが抑制され、次に中皿３２を操作して造形物を形成する際に所望の形状の造形物を形成しにくくなることが抑制される。さらに、造形物が造形面４１Ａ上で液状に戻されても、突出壁部４１Ｅは、液状の内容物が外装体３１の外側へ流れ落ちることを阻止する。
以上のようにして、造形ヘッド１を使用する。
【００３３】
以上、本実施形態にかかる造形ヘッド１によれば、造形面４１Ａ上に形成された造形物を時間の経過と共に成形孔４１Ｃを通して含浸体３３で吸収できる。また、内容物が揮散剤であるので、含浸体３３に吸収された内容物を成形孔４１Ｃや揮散窓部４２Ｂを通して吐出容器２の外部へ揮散させることができる。さらに、必要に応じて、造形面４１Ａ上に形成された造形物から揮散成分を吐出容器２の外部へ揮散させてもよい。
また、変形規制片６３及び案内筒部６４が供給面４１Ｂに当接しているので、中皿３２が付勢バネ２０によって外装体３１に対して常時上方付勢されていても、含浸体３３が供給面４１Ｂに押し付けられることによって圧縮変形されることを抑制できる。これにより、含浸体３３が圧縮されて造形物を時間の経過と共に吸収することが阻害されることを抑制できる。また、中皿３２を外装体３１に対して下降させたときに含浸体３３が復元変形することによって、ステム２１から吐出された内容物が含浸体３３に吸い込まれて拡散室Ｓで拡散しにくくなることを抑制し、造形物の成形精度が低下することを抑制できる。
さらに、吐出器５から吐出された内容物が案内筒部６４を通って拡散室Ｓに流入するので、拡散室Ｓに到達する前に内容物が含浸体３３に吸い込まれることが抑制される。
その上、造形面４１Ａに突出壁部４１Ｅが設けられているので、造形面４１Ａ上に形成された造形物が時間の経過と共に液状に戻されても、液状に戻った内容物が外装体３１から流れ落ちることを抑制できる。
【００３４】
次に、本発明による造形ヘッドの第２実施形態を図面に基づいて説明する。なお、ここで説明する実施形態は、その基本的構成が上述した実施形態と同様であり、上述した実施形態に別の要素を付加したものである。したがって、以下の図面において上記図面と同一構成要素に同一符号を付し、この説明を省略する。
【００３５】
本実施形態にかかる造形ヘッド１００は、図８から図１０に示すように、第１実施形態にかかる造形ヘッド１とは異なり、容器体１０１の固定部材１０２及び外装体１０３に対して中皿１０４を周方向に回転させることによって内容物を吐出させている。
固定部材１０２は、円筒状の外嵌筒部１１１と、円筒状の囲繞筒部１１２と、平面視で円環状の第１接続部１１３と、円筒状の内嵌筒部１１４と、平面視で円環状の第２接続部１１５と、円筒状の突出筒部１１６と、平面視で円環状の受板部１１７と、受板部１１７の内周縁から上方に向けて延設された円筒状の第１変換筒部１１８と、を備える。これら外嵌筒部１１１、囲繞筒部１１２、第１接続部１１３、内嵌筒部１１４、第２接続部１１５、突出筒部１１６、受板部１１７、第１変換筒部１１８は、容器軸Ｏと同軸に配設されている。
【００３６】
外嵌筒部１１１の下端部には、径方向の内側に向けて突出する第１嵌合突部１１１Ａが周方向に間隔をあけて複数形成されており、外嵌筒部１１１は、頂板７の外周縁部にアンダーカット嵌合されている。
第１接続部１１３は、外嵌筒部１１１の上端と囲繞筒部１１２の上端とを接続している。
突出筒部１１６は、外嵌筒部１１１の上端に連続して形成されており、第２接続部１１５に対して上方に突出している。突出筒部１１６の外周面には、径方向の外側に向けて突出する第１装着突部１１９が形成されている。第１装着突部１１９の外周面には、径方向の外側に向けて突出する上側係止部１１９Ａが形成されている。
【００３７】
第１変換筒部１１８の内周面には、径方向の内側に向けて突出する第１摺動突部１１８Ａが周方向に間隔をあけて複数形成されている。第１摺動突部１１８Ａは、径方向から見て直角三角形状をなしており、上下方向に延在する第１垂直面１１８Ｂと、第１垂直面１１８Ｂの上端から周方向の一方向（時計回り方向）に向かうにしたがって下方に向かうように傾斜した第１傾斜面１１８Ｃと、を有する。第１傾斜面１１８Ｃの上端部は、下方に向けて突となる第１曲面１１８Ｄとされている。
【００３８】
外装体１０３は、平面視で円状の頂壁部４１と、円筒状の周壁部１２１と、を有する。頂壁部４１及び周壁部１２１は、容器軸Ｏと同軸に配設されている。
周壁部１２１の下端部の内周面には、径方向の内側に向けて突出し、突出筒部１１６の第１装着突部１１９に対して下方から係止する第２装着突部１２２が形成されている。また、周壁部１２１の外周面には、径方向の外側に向けて突出する操作突部１２１Ａが周方向に複数設けられている。操作突部１２１Ａの外面は、平面視で時計回り方向に進むにしたがって径方向の内側に向かうように傾斜している。
また、周壁部１２１の内周面には、上下方向に延在する回止リブ部１２１Ｂが周方向に間隔をあけて複数形成されている。さらに、周壁部１２１の下端部の内周面には、径方向の内側に向けて突出し、上側係止部１１９Ａに対して下方から係止する下側係止部１２１Ｃが形成されている。
【００３９】
中皿１０４は、平面視で円板状の天板部１３１と、天板部１３１の下面から下方に向けて延設された円筒状の第２変換筒部１３２と、を備える。これら天板部１３１及び第２変換筒部１３２は、容器軸Ｏと同軸に配設されている。
天板部１３１の外周縁部には、径方向内側に陥没し、周壁部１２１に形成された回止リブ部１２１Ｂに対して周方向で係止する回止凹部１３１Ａが周方向に間隔をあけて複数形成されている。これにより、中皿１０４が外装体１０３に対して周方向に回転することが規制される。
【００４０】
第２変換筒部１３２の外径は、第１変換筒部１１８の内径よりも小径とされており、第２変換筒部１３２の下端部は、第１変換筒部１１８の内側に配設されている。第２変換筒部１３２の外周面には、径方向の外側に向けて突出する第２摺動突部１３２Ａが周方向に間隔をあけて複数形成されている。第２摺動突部１３２Ａは、第１摺動突部１１８Ａと同様に、径方向から見て直角三角形状をなしており、上下方向に延在する第２垂直面１３２Ｂと、第２垂直面１３２Ｂの下端から時計回り方向に向かうにしたがって下方に向かうように傾斜した第２傾斜面１３２Ｃと、を有する。第２垂直面１３２Ｂと第２傾斜面１３２Ｃとの接続部分は、上方に向けて突となる第２曲面１３２Ｄとされている。
第２摺動突部１３２Ａは、全体として第１摺動突部１１８Ａよりも大きく、第１摺動突部１１８Ａとほぼ相似な形状とされている。また、第２垂直面１３２Ｂと第２傾斜面１３２Ｃとがなす角度は、第１垂直面１１８Ｂと第１傾斜面１１８Ｃとがなす角度と同等となっている。
【００４１】
第１傾斜面１１８Ｃ及び第２傾斜面１３２Ｃによって、中皿１０４の容器体１０１に対する平面視における時計回り方向の回転が許容されている。また、第１垂直面１１８Ｂ及び第２垂直面１３２Ｂと付勢バネ２０による中皿１０４への上方付勢力とによって、中皿１０４の容器体４に対する平面視における周方向の他方向（反時計回り方向）の回転が規制される。このように、第１摺動突部１１８Ａ、第２摺動突部１３２Ａ及び付勢バネ２０は、中皿１０４の容器体４に対する周方向の回転を時計回り方向にのみ許容するラチェット機構を構成している。なお、このラチェット機構は、平面視において中皿１０４の容器体４に対する反時計回りの回転を許容すると共に時計回りの回転を規制するように構成されてもよい。
なお、第２摺動突部１３２Ａの周方向の間隔は、第１摺動突部１１８Ａの周方向の幅よりも大きくされている。これにより、第２摺動突部１３２Ａと第１摺動突部１１８Ａとの間に周方向の遊びが生じ、中皿１０４に過剰に大きな回転力が加えられた際に、例えば第１摺動突部１１８Ａが第２摺動突部１３２Ａを連続して周方向に乗り越えて内容物が連続して吐出されることが抑制される。
なお、中皿１０４には、第１実施形態にかかる造形ヘッド１のようには案内筒部６４が設けられていない。
【００４２】
以上のような構成の造形ヘッド１００の使用方法も、上述した第１実施形態にかかる造形ヘッド１の使用方法と同様である。
外装体１０３を容器体１０１に対して時計回り方向に回転させると、中皿１０４は、外装体１０３と一体に固定部材１０２に対して時計回り方向に回転し、第２変換筒部１３２に形成された第２傾斜面１３２Ｃは、第１変換筒部１１８に形成された第１傾斜面１１８Ｃに対して周方向で当接する。この状態で外装体１０３を中皿１０４と共に時計回り方向にさらに回転させると、図１０の矢印Ａ１に示すように、第２摺動突部１３２Ａは、第１傾斜面１１８Ｃに沿って下降する。これにより、図１１に示すように、中皿１０４は、付勢バネ２０の上方付勢力に抗して下降し、中皿１０４の天板部１３１の内周縁部がステム２１を下降させると共に、含浸体３３と外装体１０３との間に拡散室Ｓを画成する。そして、容器本体３内の内容物は、拡散室Ｓに流入し、成形孔４１Ｃを通して造形面４１Ａに向けて流れ、造形物を形成する。
【００４３】
外装体１０３を容器体１０１に対してさらに時計回り方向に回転させると、図１０の矢印Ａ２に示すように、第２摺動突部１３２Ａは、第１摺動突部１１８Ａの第１傾斜面１１８Ｃの下端部に達し、第１曲面１１８Ｄを時計回り方向で乗り越える。そして、図１２に示すように、中皿１０４は、付勢バネ２０の上方付勢力によって上昇する。
内容物を再度吐出させる場合には、外装体１０３を同じ時計回り方向で回転させる操作を行う。
【００４４】
以上のように構成された造形ヘッド１００によっても、上述した第１実施形態にかかる造形ヘッド１と同様の効果を奏する。
【００４５】
なお、本発明は上記実施形態に限定されるものではなく、本発明の趣旨を逸脱しない範囲において種々の変更を加えることができる。
例えば、第１実施形態において、案内筒部が設けられていなくてもよく、同様に、第２実施形態において案内筒部が設けられていてもよい。
内容物は、吐出後に少なくとも一定時間にわたって形状を保持可能であれば、揮散剤に限られないが、揮散剤とすることにより、含浸体に吸収された内容物が成形孔や揮散窓部と通して吐出容器の外部へ揮散されるので、含浸体に残存したままとなりにくくなる。
変形規制片や案内筒部は、一方のみが設けられていてもよく、双方が設けられていなくてもよい。
突出壁部は、平面視で複数の成形孔をまとめて径方向の外側から囲んでいるが、成形孔を各別に囲むなど、他の形状であってもよい。また、突出壁部が設けられていなくてもよい。
中皿は、付勢バネによって上方付勢されているが、付勢バネによって常時上方付勢されていなくてもよい。また、付勢バネを調整することにより、容器体対する中皿の押し込みを解除したときに含浸体の上面が供給面に当接または近接するが供給面に押し付けられないようにしてもよい。
中皿を外装体に対して上下動させる機構は、上述したように中皿の操作体を操作する機構や中皿を周方向に回転させる機構に限らず、他の機構であってもよい。
含浸体は、濾紙やスポンジ体などのような上下方向に圧縮変形可能な材料に限らず、造形物を経時的に吸収できる材料であれば、圧縮変形しない材料で形成されてもよい。
容器体として内部に液状の内容物が収容されたエアゾール缶を採用しているが、エアゾール缶以外の他の吐出機構を有する容器体であってもよい。
各構成部材の説明において、「円筒状」などと記載しているが、楕円状や、三角形状、矩形状のような他の多角形状など、適宜他の形状であってもよい。
【産業上の利用可能性】
【００４６】
この発明によれば、造形面上の造形物を経時的に成形孔を通して供給面側に戻すことができる造形ヘッドに関して、産業上の利用可能性が認められる。
【符号の説明】
【００４７】
１，１００  造形ヘッド、２１Ａ  上端開口部（吐出孔）、３１，１０３  外装体、３２，１０４  中皿、３３  含浸体、３３Ａ  連通孔、４１  頂壁部、４１Ａ  造形面、４１Ｂ  供給面、４１Ｃ  成形孔、４１Ｅ  突出壁部、６３  変形規制片、６４  案内筒部
【図１】
2019151347.tif 000003
【図２】
2019151347.tif 000004
【図３】
2019151347.tif 000005
【図４】
2019151347.tif 000006
【図５】
2019151347.tif 000007
【図６】
2019151347.tif 000008
【図７】
2019151347.tif 000009
【図８】
2019151347.tif 000010
【図９】
2019151347.tif 000011
【図１０】
2019151347.tif 000012
【図１１】
2019151347.tif 000013
【図１２】
2019151347.tif 000014